(57)【要約】  本発明は、表示側に位置する表示スクリーンと、表示側とは対向する背面側に位置するフィルムと、を含むフレキシブルディスプレイパネルであって、前記フィルムは磁性を有するフレキシブルディスプレイパネルを提供し、これにより、前記フレキシブルディスプレイパネルはそれに係合する支持体と連携して、表示装置のフレキシブルディスプレイパネルの安定性を向上させることができる。本発明は、さらに、このようなフレキシブルディスプレイパネルを含む表示装置に関する。
2019526818.tif 000002
【特許請求の範囲】
【請求項１】
表示側に位置する表示スクリーンと、表示側とは対向する背面側に位置するフィルムと、を含むフレキシブルディスプレイパネルであって、前記フィルムは磁性を有するフレキシブルディスプレイパネル。
【請求項２】
前記フィルムは、基体フィルムと前記基体フィルム上に塗布された磁性層とを含む、請求項１に記載のフレキシブルディスプレイパネル。
【請求項３】
前記磁性層は、磁性粉末コート層又は磁石コート層から構成されている、請求項２に記載のフレキシブルディスプレイパネル。
【請求項４】
前記フィルムは、磁性粉末が混合された材料から作製されている、請求項１に記載のフレキシブルディスプレイパネル。
【請求項５】
前記材料は、ＰＥＴ（ポリエチレンテレフタレート）又はＰＥＮ（ポリエチレンナフタレート）である、請求項４に記載のフレキシブルディスプレイパネル。
【請求項６】
前記フィルムは、接着層を含み、前記接着層は前記フィルムをフレキシブルディスプレイパネルの背面側に固定するためのものである、請求項１〜５のいずれか１項に記載のフレキシブルディスプレイパネル。
【請求項７】
前記表示スクリーンは、偏光板、ＴＦＥ層、ＯＬＥＤ層及びＰＩ基材を含む、請求項１〜５のいずれか１項に記載のフレキシブルディスプレイパネル。
【請求項８】
請求項１〜７のいずれか１項に記載のフレキシブルディスプレイパネルを含む、表示装置。
【請求項９】
前記表示装置は、磁気吸引作用によって前記フレキシブルディスプレイパネルに係合する支持体をさらに含む、請求項８に記載の表示装置。
【請求項１０】
前記支持体は、剛性平板を含み、前記剛性平板は鉄製のもの又は磁性を有するものである、請求項９に記載の表示装置。
【請求項１１】
前記支持体は、フレキシブル板を含み、前記フレキシブル板は磁性を有する、請求項９に記載の表示装置。
【請求項１２】
前記支持体はローラを含み、前記ローラは鉄製のもの又は磁性を有するものであり、これにより、フレキシブルディスプレイパネルを巻き取る場合、前記フレキシブルディスプレイパネルは前記ローラ上に貼り付けられる、請求項９〜１１のいずれか１項に記載の表示装置。
【請求項１３】
前記表示装置はさらにハウジングを含み、前記ハウジングは前記フレキシブルディスプレイパネル用の延出口を有し、ローラは前記ハウジングに枢着されている、請求項１２に記載の表示装置。
【請求項１４】
前記ハウジングは透明であり、かつ、前記フレキシブルディスプレイパネルは、巻き取り状態において前記フレキシブルディスプレイパネルの表示側が前記ローラの径方向に表示装置の外側に向くように配置されており、これにより、前記フレキシブルディスプレイパネルの表示側は前記ハウジングの外部から可視的である、請求項１３に記載の表示装置。
【発明の詳細な説明】
【技術分野】
【０００１】
（関連出願の相互参照）
本願は２０１６年８月３０日に出願された中国特許出願第２０１６１０７６３８８９．８号の優先権を要求し、ここで上記中国特許出願に公開された内容の全文を本願の一部として引用する。
【０００２】
本発明は、フレキシブルディスプレイパネルに関し、さらに、フレキシブルディスプレイパネルを含む表示装置に関する。
【背景技術】
【０００３】
現在、フレキシブルディスプレイパネルは主に固定的な変形に用いられる。例えば、フレキシブルディスプレイパネルが剛性カバーガラスの背面に固定されるような設計があり、この設計は、フレキシブルディスプレイパネルの背面側の封止材料及び封止方法に対する要求が低く、フレキシブルディスプレイパネルを保護する目的を図るには普通の保護材料を用いればよい。しかしながら、図１に示すように、変形可能なフレキシブルディスプレイパネル１を用いる場合、フレキシブルディスプレイパネル１をデスクトップ５上に安定して保持することができず、各種のカール現象が発生しやすくなり、使用及び操作が不便となる。
【発明の概要】
【発明が解決しようとする課題】
【０００４】
このために、フレキシブルディスプレイパネルを含む表示装置の安定性を向上させ、フレキシブルディスプレイパネルのカール現象を低減乃至除去させる必要がある。
【課題を解決するための手段】
【０００５】
本発明の第１の態様によれば、表示側（すなわち、表示用の側）に位置する表示スクリーンと、表示側とは対向する背面側に位置するフィルムと、を含むフレキシブルディスプレイパネルであって、前記フィルムは磁性を有するフレキシブルディスプレイパネルを提供する。
【０００６】
好ましくは、フィルムは、フィルムに磁性を付与するために、基体フィルムとこの基体フィルム上に塗布された磁性層とを含んでもよい。磁性層は、磁性粉末コート層又は磁石コート層から構成されてもよい。
【０００７】
ただし、フィルムは、磁性粉末が混合された材料から作製されてもよい。この材料は、ＰＥＴ（ポリエチレンテレフタレート）又はＰＥＮ（ポリエチレンナフタレート）であってもよい。
【０００８】
好ましくは、フィルムは、接着層を含んでもよく、前記接着層はフィルムをフレキシブルディスプレイパネルの背面側に固定するためのものである。これにより、フィルムを接着によってフレキシブルディスプレイパネル上に固定することができる。
【０００９】
本発明の第２の態様によれば、前記フレキシブルディスプレイパネルを含む表示装置を提供する。
【００１０】
好ましくは、当該表示装置は、磁気吸引作用によってフレキシブルディスプレイパネルに係合可能な支持体をさらに含む。
【００１１】
好ましくは、支持体は、剛性平板を含んでもよく、前記剛性平板は鉄製のもの又は磁性を有するものであるため、フレキシブルディスプレイパネルは展開状態において前記剛性平板により平坦性を維持することができる。そのため、展開状態においてフレキシブルディスプレイパネルは磁気吸引作用により剛性平板上に貼り付けられ、これにより、展開されたフレキシブルディスプレイパネルは平坦性を維持できる。
【００１２】
任意に、支持体は、磁性を有するフレキシブル板を含んでもよい。そのため、フレキシブルディスプレイパネルは磁気吸引作用によってフレキシブル板上に貼り付けられ、これにより、展開されたフレキシブルディスプレイパネルは一定の剛性を有することで制御されずに勝手にカールすることはないし、一定のフレキシブル性を有することで必要に応じて所望の変形を生じることができる。
【００１３】
任意に、支持体はローラを含んでもよく、前記ローラは鉄製のもの又は磁性を有するものであるため、フレキシブルディスプレイパネルを巻き取る場合、当該フレキシブルディスプレイパネルはローラ上に貼り付けられる。そのため、フレキシブルディスプレイパネルをローラの表面に追随して巻き取り、フレキシブルディスプレイパネルを収納することができる。
【００１４】
好ましくは、表示装置はハウジングをさらに含んでもよく、前記ハウジングはフレキシブルディスプレイパネル用の延出口を有し、ローラは当該ハウジングに枢着されている。当該ハウジングはフレキシブルディスプレイパネルをより良く収納、保護することができる。
【００１５】
より好ましくは、ハウジングは透明であってもよく、また、フレキシブルディスプレイパネルは、巻き取り状態において当該フレキシブルディスプレイパネルの表示側がローラの径方向に沿って表示装置の外側に向くように配置されてもよく、これにより、フレキシブルディスプレイパネルの表示側はハウジングの外部から可視的である。これにより、巻き取り状態において表示装置は画像表示又は照明を行うこともできる。
【図面の簡単な説明】
【００１６】
以下、図面を参照しながら本発明の好適な実施例を詳しく説明する。
【００１７】
【図１】変形可能なフレキシブルディスプレイパネルを示す概略断面図であり、任意に、フレキシブルディスプレイパネルが展開状態において望まないカールを生じた状態を示す概略断面図である。
【図２】本発明の１つの好適な実施例のフレキシブルディスプレイパネル、及び当該フレキシブルディスプレイパネルを含む表示装置を示す概略断面図であり、任意に、フレキシブルディスプレイパネルが展開状態にある概略断面図である。
【図３】図２に示す表示装置を示す概略断面図であり、任意に、フレキシブルディスプレイパネルが巻き取り状態にある概略断面図である。
【図４】本発明のもう１つの好適な実施例の表示装置を示す概略断面図である。
【図５】本発明の１つの好適な実施例の表示スクリーンの構成を示す概略断面図である。
【発明を実施するための形態】
【００１８】
図２は、本発明の１つの好適な実施例のフレキシブルディスプレイパネル、及び当該フレキシブルディスプレイパネルを含む表示装置を示す。図２に示すように、表示装置１００は、フレキシブルディスプレイパネル１を含み、当該フレキシブルディスプレイパネル１は表示側に位置する表示スクリーン１１と表示側とは対向する背面側に位置するフィルム１２で構成され、当該フィルム１２は磁性を有する。そのため、フィルム１２はフレキシブルディスプレイパネル１を保護する作用を有するとともに、磁性を有させることにより、フレキシブルディスプレイパネル１はそれに係合する支持体と協同することができるので、フレキシブルディスプレイパネル１の安定性を向上させる。
【００１９】
表示スクリーン１１は、例えば図５に示すように、偏光板１１ａ、ＴＦＥ（薄膜封止）層１１ｂ、ＯＬＥＤ（有機発光ダイオード）層１１ｃ及びＰＩ（ポリイミド）基板１１ｄを含んでもよい。
【００２０】
フィルム１２は、基体フィルムとこの基体フィルム上に塗布された磁性層とで構成されてもよい。磁性層は磁気粉末コート層又は磁石コート層であってもよい。任意に、フィルム１２はＰＥＴ（ポリエチレンテレフタレート）又はＰＥＮ（ポリエチレンナフタレート）材料と磁気粉末とを混合して作製されてもよい。フィルム１２は、フィルム１２をフレキシブルディスプレイパネル１の背面側上に均一に接着するための接着層をさらに含んでもよい。
【００２１】
図２から図４は支持体の異なる実施様態を示す。図２に示すように、鉄製の又は磁性を有する剛性平板４を支持体として用いてもよい。剛性平板４が磁性を有すると、展開状態において、フレキシブルディスプレイパネル１を磁気吸引作用によって剛性平板４上に貼り付けることができるので、展開されたフレキシブルディスプレイパネル１は平坦性を維持でき、安定性が向上し、望まないカールを避けられたと考えられる。
【００２２】
図４に示すように、磁性を有するフレキシブル板４’を支持体として用いてもよい。そのため、フレキシブルディスプレイパネル１は磁気吸引作用によってフレキシブル板４’上に貼り付けられることにより、展開されてデスクトップ５上に放置されたフレキシブルディスプレイパネル１は一定の剛性を有することで、制御されずに勝手にカールすることはないとともに、一定のフレキシブル性を有することで、必要に応じて所望の変形を生じることができる。磁性を有するフレキシブルディスプレイパネル１は、例えば接着などの方式によってフレキシブル板４’上に固定されてもよいと考えられる。勿論、その他の方式によってフレキシブルディスプレイパネル１とフレキシブル板との連結を実現することができ、例えば、使用時のみに、フレキシブルディスプレイパネル１をフレキシブル板４’上に貼り付け、使用しない時にはそれをフレキシブル板４’から分離させて除去することができる。
【００２３】
図２から図４を参照すると、表示装置１００はローラ２を含んでもよく、当該ローラは鉄製のもの又は磁性を有するものであってもよく、これにより、フレキシブルディスプレイパネル１を巻き取る（例えば、図２に示す状態においてローラ２を反時計回り方向に回転させる）時に、磁気吸引作用により、当該フレキシブルディスプレイパネル１の背面側が吸引されてローラ２の表面上に貼り付けられる。そのため、ローラ２はフレキシブルディスプレイパネル１に係合する支持体とされてもよく、これにより、フレキシブルディスプレイパネル１がローラの表面に追随してフレキシブルディスプレイパネル１を巻き取って収納し、これにより、巻き取り状態におけるフレキシブルディスプレイパネル１の安定性を向上させる。磁性コート層又は磁性軸ケース２１はローラ２の表面上に塗布又は接着されてもよいと考えられる。
【００２４】
図３に示すように、表示装置１００は、さらにハウジング３を含んでもよく、当該ハウジングはフレキシブルディスプレイパネル１用の延出口３２を有し、フレキシブルディスプレイパネル１は延出口３２から延出して展開される。ローラ２はハウジング３に枢着されてもよい。これにより、図３に示す状態において、フレキシブルディスプレイパネル１を展開させるように、延出口３２から外側に向けてフレキシブルディスプレイパネル１を引っ張ってローラ２を時計回りに回転させることができる。フレキシブルディスプレイパネル１を巻き取る場合、フレキシブルディスプレイパネル１がハウジング３の収容空間３１内に巻き取られて収納され、これにより、当該フレキシブルディスプレイパネル１をより良く保護することができる。
【００２５】
図２及び図３に示すように、フレキシブルディスプレイパネル１の固定端１３はローラ２に固定されている。使用時に、フレキシブルディスプレイパネル１の自由端１４を引っ張ることにより、延出口３２から外側に向けて延出、展開させることができる。
【００２６】
特に好ましくは、ハウジング３は透明であってもよく、かつ、図３に示すように、フレキシブルディスプレイパネル１は、巻き取り状態において、フレキシブルディスプレイパネル１の表示スクリーン１１がローラ２の径方向に表示装置の外側に向くように配置されてもよく、これにより、表示スクリーン１１がハウジング３の外部から可視的である。これにより、表示装置１００は巻き取り状態においても画像表示又は照明を行うことができる。
【００２７】
以上、実施例によって本発明の表示装置を説明した。ただし、上述の説明は例示的なものに過ぎず、当業者であれば、上述の説明に基づいて本発明の実施例に対して各種の変更及び変形を行うことができ、これらの変更及び変形はいずれも本発明の保護範囲内にある。
【符号の説明】
【００２８】
１    フレキシブルディスプレイパネル
２    ローラ
３    ハウジング
４    剛性平板
４’  フレキシブル板
５    デスクトップ
１１    表示スクリーン
１１ａ    偏光板
１１ｂ    ＴＦＥ層
１１ｃ    ＯＬＥＤ層
１１ｄ    ＰＩ基材
１２    フィルム
１３    フレキシブルディスプレイパネルの固定端
１４    フレキシブルディスプレイパネルの自由端
２１    ローラの磁性コート層又は磁性軸ケース
３１    収納空間
３２    延出口
１００  表示装置
【図１】
2019526818.tif 000003
【図２】
2019526818.tif 000004
【図３】
2019526818.tif 000005
【図４】
2019526818.tif 000006
【図５】
2019526818.tif 000007
【国際調査報告】
2019526818.tif 000008
2019526818.tif 000009
2019526818.tif 000010
2019526818.tif 000011